(57)【特許請求の範囲】
【請求項１】
重量百分率で、炭素０.６〜０.９%と、銅１.５〜３.９%と、鉄９３.２〜９７.９%と、他の元素である残部とを含有する粉末金属装入材を準備する工程と、
成形型内で粉末金属装入材を７.０〜７.１g/cm3の密度に一体圧密化し、その後、温度８１６〜８７１℃（１５００〜１６００°F）で予備焼結して、粉末金属ブランクを形成する工程と、
粉末金属ブランクを潤滑材により被覆する工程と、
潤滑材で被覆した粉末金属ブランクを少なくとも密度７.３g/cm3に再圧密化し、その後、温度１１２１℃（２０５０°F）で焼結して、少なくとも２%の永久歪みを発生しない延性及び伸びを有する最終粉末金属ブランクを形成する工程と、
最終粉末金属ブランクを所望の形状に形成する工程とにより製造される燃料噴射器固定具において、
中央開口部を有する円筒状の中央部と、中央部から横方向に延伸する第１の翼部と、角度１８０°で第１の翼部から離間して中央部から横方向に延伸する第２の翼部とを備える単一構造体を有し、
中央部は、下面と、第１の翼部に隣接する中央部の下面から下方に延伸する第１の支持縁と、第２の翼部に隣接する中央部の下面から下方に延伸する第２の支持縁と、第１の支持縁及び第２の支持縁より下方に延伸する下部とを備えることを特徴とする燃料噴射器固定具。
【請求項２】
１５分間予備焼結して粉末金属ブランクを形成する請求項１に記載の燃料噴射器固定具。
【請求項３】
１０〜３０分間焼結して最終粉末金属ブランクを形成する請求項１に記載の燃料噴射器固定具。
【請求項４】
粉末金属ブランクを被覆する潤滑材をエチレンビスステアラミド（EBS）ワックスの群から選択した請求項１に記載の燃料噴射器固定具。
【請求項５】
燃料噴射器固定具の第１の翼部及び第２の翼部に対して下方への荷重が加えられると、第１の支持縁及び第２の支持縁は、中央部の下面に形成される平面よりも下方に移動する請求項１に記載の燃料噴射器固定具。
【請求項６】
下方への荷重は、燃料噴射器固定具の弾性限度より小さい請求項５に記載の燃料噴射器固定具。
【請求項７】
燃料噴射器固定具は、内燃機関に取り付けられ、
燃料噴射器固定具の中央部に形成される中央開口部内に燃料噴射器が装着され、
燃料噴射器は、燃料噴射器固定具の中央部の下部に接触する上面を有する平坦な支持体を備え、
燃料噴射器固定具の第１の翼部と第２の翼部に下方荷重が加えられると、第１の支持縁及び第２の支持縁は、弾性的に下方に移動し、燃料噴射器の支持体の上面に当接する請求項１に記載の燃料噴射器固定具。
【請求項８】
下方への荷重は、１０,０００〜２３,３００N（２２５０〜５２５０lbs）である請求項７に記載の燃料噴射器固定具。
【請求項９】
第１の支持縁及び第２の支持縁は、弾性的に下方に距離０.６３〜１.０mm（０.０２４〜０.０４０in）を移動する請求項７に記載の燃料噴射器固定具。
【発明の詳細な説明】
【技術分野】
【０００１】
本発明は、燃料噴射器固定具、特に、燃料噴射器固定具自体に粉末金属処理法を使用する燃料噴射器固定具に関連する。
【背景技術】
【０００２】
ガソリンエンジン、ディーゼルエンジン及び他の内燃機関（エンジン）の燃料噴射器は、燃料噴射器固定具（クランプ、留具又は締具）と呼ばれる取付装置により適所に保持される場合が多い。鋼材鍛造又は焼き流し精密鋳造法（インベストメント鋳造法）により燃料噴射器固定具を製造でき、適切な粉末金属からも同様に製造される燃料噴射器固定具もある。燃料噴射器固定具は、応力印加中に、燃料噴射器を適切に保持しかつ封着できる十分な強度と剛性とを備えなければならない。
【０００３】
信頼できる燃料噴射器固定具は、応力又は荷重の印加時に変形可能な構造を備えることが望ましい。燃料噴射器固定具は、損傷も亀裂も発生せずに、弾性限度内で変形できることが重要である。
【発明の概要】
【発明が解決しようとする課題】
【０００４】
従って、本発明の目的は、粉末金属法を使用する改良された燃料噴射器固定具を提供することにある。
【０００５】
本発明の別の目的は、粉末金属により形成される改良された燃料噴射器固定具を提供することである。
【課題を解決するための手段】
【０００６】
粉末金属技術を使用する燃料噴射器固定具の製造方法を提供する。この製造方法は、重量百分率で、炭素０.６〜０.９%と、銅１.５〜３.９%と、鉄９３.２〜９７.９%と、他の元素である残部とを含有する粉末金属材料を準備する工程を含む粉末金属技術を使用する。成形型（金型）内で密度７.０〜７.１g/cm3に粉末金属材料を圧密化し、その後、温度８１６〜８７１℃（１５００〜１６００°F）で予備焼結して、粉末金属ブランク（半製品）が形成される。次に、粉末金属ブランクは、潤滑材で被覆される。
【０００７】
続いて、潤滑材で被覆した粉末金属ブランクを少なくとも密度７.３g/cm3に再圧密化し、その後、温度１１２１℃（２０５０°F）で焼結して、最終粉末金属ブランクは、燃料噴射器固定具の所望の形状に成形される。
【０００８】
圧密化焼結粉末金属により構成される燃料噴射器固定具が提供される。燃料噴射器固定具自体は、中央開口部を形成した円筒状の中央部を有する単一構造体を有する。第１の翼部は、中央部から横方向に延伸し、第２の翼部は、角度１８０°だけ第１の翼部から離間して中央部本体から横方向に延伸する。燃料噴射器固定具の中央部は、下面と、中央部と第１の翼部との交差部に隣接して中央部の下面から下方に延伸する第１の支持縁とを備える。第２の支持縁は、中央部と第２の翼部との交差部に隣接して中央部の下面から下方に延伸する。中央部の下部は、第１の支持縁及び第２の支持縁の下端より下方に延伸する。
【０００９】
燃料噴射器固定具の第１の翼部と第２の翼部に下方への荷重が加えられると、第１の支持縁と第２の支持縁は、中央部の下面に形成される平面よりも下方に弾性的（弾性をもって）に移動して、燃料噴射器固定具の支持体の上面に接触する。このため、第１の支持縁と第２の支持縁は、燃料噴射器の支持体の上面を押圧して、支持体の移動を抑制し、燃料噴射器を内燃機関の適所に保持する。
【図面の簡単な説明】
【００１０】
【図１】本発明の第１の実施の形態による燃料噴射器固定具の斜視図
【図２】燃料噴射器固定具に燃料噴射器を装着した本発明の第１の実施の形態による燃料噴射器固定具の側面図
【図３】燃料噴射器を内部に装着した燃料噴射器固定具に下方荷重が加えられた状態を示す本発明の第１の実施の形態による燃料噴射器固定具の側面図
【発明を実施するための形態】
【００１１】
粉末冶金技術を使用する燃料噴射器固定具形成方法を提供する。この形成方法は、重量百分率で、炭素０.６〜０.９%と、銅１.５〜３.９%と、鉄９３.２〜９７.９%と、他の元素である残部とを含有する粉末金属材料を準備する工程を含む。成形型内で粉末金属材料を密度７.０〜７.１g/cm3に圧密化して、燃料噴射器固定具のブランク（半製品）を形成する。次に、圧密化したブランクを温度８１６〜８７１℃（１５００〜１６００°F）で１５分間予備焼結し、粉末金属ブランクを形成する。続いて、エチレンビスステアラミド（ＥＢＳ、Ethylene Bis-Stearamide）ワックス等の適切な潤滑材で粉末金属ブランクを被覆する。潤滑材で被覆した粉末金属ブランクを少なくとも密度７.３g/cm3に再圧密化した後、温度約１１２１℃（約２０５０°F）で１０〜３０分間焼結して、最終粉末金属ブランクが形成される。最終粉末金属ブランクは、少なくとも２%の永久歪みも生じずに撓む弾性、柔軟性、延性及び伸びを有する。
【００１２】
図１は、本発明の第１の実施の形態による燃料噴射器固定具10を示す。燃料噴射器固定具10は、上記方法により製造される粉末金属により構成される。燃料噴射器固定具10は、軸方向に貫通する開口部を有するほぼ円筒状の中央部14を備える。中央部14は、下面16を有する。
【００１３】
第１の翼部18は、中央部14から横方向に延伸し、垂直方向に貫通する軸孔22が第１の翼部18に形成される。また、燃料噴射器固定具10は、角度１８０°で第１の翼部18から離間して中央部14から横方向に延伸する第２の翼部20を有する。垂直方向に貫通する軸孔24が第２の翼部20にも形成される。
【００１４】
更に、中央部14は、下面16と、第１の翼部18と中央部14との交差部に隣接しかつ下面16の一部に沿って下方に延伸する第１の支持縁26とを有する。第２の支持縁28は、第２の翼部20と中央部14との交差部に隣接しかつ下面16の一部に沿って下方に延伸する。
【００１５】
図２及び図３に示すように、燃料噴射器30は、燃料噴射器固定具20の中央部14に形成される開口部内に嵌合される。燃料噴射器30は、ほぼ円筒状の下部片32と、ほぼ円筒状の上部片34と、下部片32と上部片34との間に配置される支持体36とにより構成されるほぼ円筒状の細長い構造を備える。燃料噴射器固定具10の中央部14に形成される開口部内には燃料噴射器30の上部片34が嵌合される。
【００１６】
燃料噴射器固定具10の第１の翼部18及び第２の翼部20に対し下方荷重が加わらない図２に示す無荷重状態では、燃料噴射器30の支持体36の上面38に燃料噴射器固定具10の中央部14の下部21が接触する。従って、無荷重状態では、第１の支持縁26及び第２の支持縁28は、燃料噴射器30の支持体36の上面38に接触しない。燃料噴射器固定具10の第１の翼部18と第２の翼部20に対し下方荷重が加えられる図３に示す荷重状態では、燃料噴射器固定具10が弾性的に変形し、第１の支持縁26及び第２の支持縁28は、下方に移動して、燃料噴射器支持体36の上面38に接触し又は当接して係止される。下方荷重により燃料噴射器固定具10が弾性的に変形して、約１０,０００〜２３,３００N（２２５０〜５２５０lbs）の下方荷重が加わると、第１の支持縁26と第２の支持縁28は、それぞれ下方に約０.６３〜１.０mm（０.０２４〜０.０４０in）の距離移動する。
【符号の説明】
【００１７】
(10)・・燃料噴射器固定具、  (14)・・中央部、  (16)・・下面、  (18)・・第１の翼部、  (20)・・第２の翼部、  (26)・・第１の支持縁、  (28)・・第２の支持縁、  (30)・・燃料噴射器、  (38)・・上面、
【図１】
0005558416.tif 000002
【図２】
0005558416.tif 000003
【図３】
0005558416.tif 000004